(57)【要約】【課題】２つの構造部材がそれぞれの肉厚部の重ね合わせ部に開けられた複数のボルト孔の各々を貫通するボルトにて締め合わされることにより連結された構造体に非常時の大きな外力が作用したときボルトの剪断抗力により得られる荷重担持能力を高める。【解決手段】非常時に該構造体に作用すると予想される外力により複数のボルトに作用するせん断力が外力による２つの構造部材の少なくとも一方の変形により不均一になることを防止するようボルト孔の各々のボルトに対する遊びを定める。【選択図】図１
2010132244.tif 000002
【特許請求の範囲】
【請求項１】
２つの構造部材がそれぞれの肉厚部の重ね合わせ部に開けられた複数のボルト孔の各々を貫通するボルトにて締め合わされることにより連結された構造体にして、非常時に該構造体に作用すると予想される外力により前記複数のボルトに作用するせん断力が前記外力による前記２つの構造部材の少なくとも一方の変形により不均一になることを防止するよう前記ボルト孔の各々のボルトに対する遊びが定められていることを特徴とする構造体。
【請求項２】
前記構造体は車輌のボディーに組み込まれた構造体であり、前記非常時を車輌の衝突時として前記外力が予想されていることを特徴とする請求項１に記載の構造体。
【請求項３】
前記構造体は自動車のボディーの左右のサイドフレームの下部の間に架け渡されたフロアクロスであり、前記２つの構造部材は該フロアクロスのセンター部とその一端に接続されたガゼットであることを特徴とする請求項２に記載の構造体。
【請求項４】
前記構造体は自動車のボディーの左右のサイドフレームの上部の間に架け渡されたルーフクロスであり、前記２つの構造部材は該ルーフクロスのセンター部とその一端に接続されたガゼットであることを特徴とする請求項２に記載の構造体。
【請求項５】
前記外力は車輌の側面衝突により自動車のボディーに外から作用する力であるとし、前記センター部と前記ガゼットの幅方向の中央部に開けられたボルト孔のボルトに対する外力作用方向の遊び代が幅方向の側部に開けられたボルト孔のボルトに対する外力作用方向の遊び代より大きくされていることを特徴とする請求項３または４に記載の構造体。
【請求項６】
前記センター部と前記ガゼットの幅方向の中央部に開けられたボルト孔のボルトに対する外力作用方向の遊び代を幅方向の側部に開けられたボルト孔のボルトに対する外力作用方向の遊び代より大きくすることは、前記中央部に開けられたボルト孔の直径とそこに通されるボルトの直径の差が前記側部に開けられたボルト孔の直径とそこに通されるボルトの直径の差より大きくされることによりなされていることを特徴とする請求項５に記載の構造体。
【請求項７】
前記センター部と前記ガゼットの幅方向の中央部に開けられたボルト孔のボルトに対する外力作用方向の遊び代を幅方向の側部に開けられたボルト孔のボルトに対する外力作用方向の遊び代より大きくすることは、前記中央部に開けられたボルト孔が長孔とされることによりなされていることを特徴とする請求項５に記載の構造体。
【請求項８】
前記センター部および前記ガゼットは横断面がハット型をした側縁リブ付溝型部にて互いに重ね合わされており、両者の重ね合わせ部に於いては、前記側縁リブ付溝型部の溝部の中央と側縁リブ部に前記ボルト孔が開けられており、前記溝部の中央に開けられたボルト孔のボルトに対する外力作用方向の遊び代が前記側縁リブ部に開けられたボルト孔のボルトに対する外力作用方向の遊び代より大きくされていることを特徴とする請求項５〜７のいずれかに記載の構造体。
【請求項９】
構造部材をボルトで締結する構造体であって、ボルト孔毎の遊び量を異ならせたことを特徴とする構造体。
【発明の詳細な説明】
【技術分野】
【０００１】
本発明は、２つの構造部材がボルトにより締結されている構造体のボルト締結部に於ける強度を改善することに係る。
【背景技術】
【０００２】
自動車等の車輌のボディーに於いて、両側のサイドフレーム間にクロス部材を架け渡すことは、例えば下記の特許文献１にトランスミッションの出力部を車体より支持する構造として示されている。またこの例では、万一の衝突時にトランスミッションやそれと連結されたエンジンがフロアパネル側へ突き上げられることなく後方へ移動できるよう、前記クロス部材の両端部を同一直線上にない３点に配置されたボルトによりサイドフレームに取付け、且つボルト孔を長孔とすることが記載されている。また下記の特許文献２には、車輌ボディーの床部に横方向に延在するフロアクロスを車体の前後方向に配設されたフロントサイドメンバに締結する部分を両者間にフロアパネルを挟んでボルト締めとする構造が記載されている。
【特許文献１】特許第３９３６７９９号公報
【特許文献２】特開２００５-２１２５０３
【発明の開示】
【発明が解決しようとする課題】
【０００３】
自動車等の車輌のボディーは、外観に曝される外表面部が美的要求を満たす構造でなければならないという制約の下で、万一の衝突事故に備えて外表面部の内側に補強部材を配しておかなければならないことから、組み付けが便利で荷重担持能力の高い構造体として、２つの構造部材がそれぞれの肉厚部の重ね合わせ部に開けられた複数のボルト孔の各々を貫通するボルトにて締め合わされることにより連結された構造体が組み込まれている。かかるボルト締結型の構造体は、自動車に於いては、例えばボディーの左右のサイドフレームの下部の間に架け渡されたフロアクロス或いはボディーの左右のサイドフレームの上部の間に架け渡されたルーフクロスに於いて見られる。
【０００４】
車輌の通常の運行時に於けるかかる構造体のボルト締結部の荷重担持能力ないし強度は、ボルトの締め付け力により２つの構造部材の肉厚部の重ね合わせ部の間に作用する摩擦力により賄われており、ボルトにせん断力が作用することは殆どないが、車輌が衝突事故に遭い、上記の構造体に上記の摩擦保持力を超える非常時の大きな外力が作用すると、２つの構造部材の肉厚部の重ね合わせ部の間に滑りが生じ、外力はボルトのせん断に対する抗力によって受けられるようになる。このとき２つの構造部材の肉厚部の重ね合わせ部が複数のボルトにより締結されていれば、複数のボルトが互いに時間的にずれて順次せん断を受けるのと複数のボルトが同時にせん断を受けるのとでは、外力に対する荷重担持能力に大きな差が出る。
【０００５】
本発明は、上記の差に着目し、２つの構造部材がそれぞれの肉厚部の重ね合わせ部に開けられた複数のボルト孔の各々を貫通するボルトにて締め合わされることにより連結された構造体の非常時に作用する大きな外力に対する荷重担持能力を高めることを課題としている。
【課題を解決するための手段】
【０００６】
上記の課題を解決するものとして、本発明は、２つの構造部材がそれぞれの肉厚部の重ね合わせ部に開けられた複数のボルト孔の各々を貫通するボルトにて締め合わされることにより連結された構造体にして、非常時に該構造体に作用すると予想される外力により前記複数のボルトに作用するせん断力が前記外力による前記２つの構造部材の少なくとも一方の変形により不均一になることを防止するよう前記ボルト孔の各々のボルトに対する遊びが定められていることを特徴とする構造体を提案するものである。
【０００７】
前記構造体は車輌のボディーに組み込まれた構造体であり、前記非常時を車輌の衝突時として前記外力が予想されていてよい。
【０００８】
前記構造体は自動車のボディーの左右のサイドフレームの下部の間に架け渡されたフロアクロスであり、前記２つの構造部材は該フロアクロスのセンター部とその一端に接続されたガゼットであってよい。
【０００９】
前記構造体は自動車のボディーの左右のサイドフレームの上部の間に架け渡されたルーフクロスであり、前記２つの構造部材は該ルーフクロスのセンター部とその一端に接続されたガゼットであってもよい。
【００１０】
前記外力は車輌の側面衝突により自動車のボディーに外から作用する力であるとし、前記センター部と前記ガゼットの幅方向の中央部に開けられたボルト孔のボルトに対する外力作用方向の遊び代が幅方向の側部に開けられたボルト孔のボルトに対する外力作用方向の遊び代より大きくされていてよい。
【００１１】
前記センター部と前記ガゼットの幅方向の中央部に開けられたボルト孔のボルトに対する外力作用方向の遊び代を幅方向の側部に開けられたボルト孔のボルトに対する外力作用方向の遊び代より大きくすることは、前記中央部に開けられたボルト孔の直径とそこに通されるボルトの直径の差が前記側部に開けられたボルト孔の直径とそこに通されるボルトの直径の差より大きくされることによりなされていてよい。
【００１２】
前記センター部と前記ガゼットの幅方向の中央部に開けられたボルト孔のボルトに対する外力作用方向の遊び代を幅方向の側部に開けられたボルト孔のボルトに対する外力作用方向の遊び代より大きくすることは、前記中央部に開けられたボルト孔が長孔とされることによりなされていてもよい。
【００１３】
前記センター部および前記ガゼットは横断面がハット型をした側縁リブ付溝型部にて互いに重ね合わされており、両者の重ね合わせ部に於いては、前記側縁リブ付溝型部の溝部の中央と側縁リブ部に前記ボルト孔が開けられており、前記溝部の中央に開けられたボルト孔のボルトに対する外力作用方向の遊び代が前記側縁リブ部に開けられたボルト孔のボルトに対する外力作用方向の遊び代より大きくされていてよい。
【発明の効果】
【００１４】
上記の如く、２つの構造部材がそれぞれの肉厚部の重ね合わせ部に開けられた複数のボルト孔の各々を貫通するボルトにて締め合わされることにより連結された構造体に於いて、非常時に該構造体に作用すると予想される外力により前記複数のボルトに作用するせん断力が前記外力による前記２つの構造部材の少なくとも一方の変形により不均一になることを防止するよう前記ボルト孔の各々のボルトに対する遊びが定められていれば、非常時に構造体に大きな外力が作用し、ボルトにて締め合わされた２つの構造部材の肉厚部の重ね合わせ部に於いて摩擦係合による両者の締結が外力に耐えなくなり、両者間に滑りが生じてボルトにせん断力が作用する場合にも、複数のボルトに同時にせん断力が作用するようにし、これによって各一個のボルトに一時に作用するせん断力の大きさを低減してボルトがせん断されるに至るまでのボルト締結部の荷重担持能力を高めることができる。
【００１５】
前記構造体が車輌のボディーに組み込まれた構造体であり、前記非常時を車輌の衝突時として前記外力が予想されれば、車輌が万一の事故により側方から衝撃を受けた場合のボディーの対衝撃強度を高めることができる。
【００１６】
前記構造体が自動車のボディーの左右のサイドフレームの下部の間に架け渡されたフロアクロスであり、前記２つの構造部材が該フロアクロスのセンター部とその一端に接続されたガゼットであれば、ボディーの側方からの衝撃に対する強度をボディーの底部に於いてフロアクロスにより補強する効果を高めることができる。
【００１７】
前記構造体が自動車のボディーの左右のサイドフレームの上部の間に架け渡されたルーフクロスであり、前記２つの構造部材が該ルーフクロスのセンター部とその一端に接続されたガゼットであれば、ボディーの側方からの衝撃に対する強度をボディーの頂部に於いてルーフクロスにより補強する効果を高めることができる。
【００１８】
前記外力が車輌の側面衝突により自動車のボディーに外から作用する力であるとし、前記センター部と前記ガゼットの幅方向の中央部に開けられたボルト孔のボルトに対する外力作用方向の遊び代が幅方向の側部に開けられたボルト孔のボルトに対する外力作用方向の遊び代より大きくされていれば、フロアクロスやルーフクロスがセンター部をその両端部にてガゼットによりボディーのサイドフレームに取り付けた構造に於いて、車輌が側方より衝撃を受けたとき、フロアクロスやルーフクロスのセンター部およびガゼットがその延在方向に沿って収縮し、その際、センター部およびガゼット、特に長さに於いてガゼットより長いセンター部は、その幅方向の側部の方が中央部より延在方向に圧縮されやすいので、この圧縮変形によりボルトとボルト孔の間の相対変位を逃しやすい。そのため、ボルトとボルト孔の間の相対変位を部材の圧縮変形によって逃しにくい幅方向の中央部に於いては、ボルトにかかるせん断力が側部のボルトにかかるせん断力に比して大きくなろうとするが、これに対処して、中央部に開けられたボルト孔のボルトに対する外力作用方向の遊び代を幅方向の側部に開けられたボルト孔のボルトに対する外力作用方向の遊び代より大きくしておけば、全てのボルトに作用するせん断力を均一化することができる。
【００１９】
前記センター部と前記ガゼットの幅方向の中央部に開けられたボルト孔のボルトに対する外力作用方向の遊び代を幅方向の側部に開けられたボルト孔のボルトに対する外力作用方向の遊び代より大きくすることが、前記中央部に開けられたボルト孔の直径とそこに通されるボルトの直径の差が前記側部に開けられたボルト孔の直径とそこに通されるボルトの直径の差より大きくされることにより行われれば、前記センター部と前記ガゼットの幅方向の中央部に開けられたボルト孔のボルトに対する外力作用方向の遊び代を幅方向の側部に開けられたボルト孔のボルトに対する外力作用方向の遊び代より大きくすることが、中央部に開けられるボルト孔と側部に開けられるボルト孔の直径の適当な選定により容易に達成される。
【００２０】
前記センター部と前記ガゼットの幅方向の中央部に開けられたボルト孔のボルトに対する外力作用方向の遊び代を幅方向の側部に開けられたボルト孔のボルトに対する外力作用方向の遊び代より大きくすることが、前記中央部に開けられたボルト孔が長孔とされることにより行われれば、前記センター部と前記ガゼットの幅方向の中央部に開けられたボルト孔のボルトに対する外力作用方向の遊び代を幅方向の側部に開けられたボルト孔のボルトに対する外力作用方向の遊び代より大きくすることが、中央部に開けられるボルト孔の片側を円弧状に削り取ることにより容易に達成される。
【００２１】
前記センター部および前記ガゼットが、横断面がハット型をした側縁リブ付溝型部にて互いに重ね合わされており、両者の重ね合わせ部に於いては、前記側縁リブ付溝型部の溝部の中央と側縁リブ部に前記ボルト孔が開けられており、前記溝部の中央に開けられたボルト孔のボルトに対する外力作用方向の遊び代が前記側縁リブ部に開けられたボルト孔のボルトに対する外力作用方向の遊び代より大きくされていれば、フロアクロスやルーフクロスをその延在方向に沿って作用する圧縮力に対し高い耐性を有する側縁リブ付溝型部材としたとき、そのセンター部とガゼットのボルト接合部に於ける対衝撃強度を高めることができる。
【発明を実施するための最良の形態】
【００２２】
図３は本発明が適用される自動車のボディー於けるフロアクロスおよびルーフクロスの一例をボディーのサイドフレームに取付けられたその一端部にて示す斜視図である。図に於いて、１０はサイドフレームであり、１２はそのセンターピラーの部分である。１４がフロアクロスであり、フロアクロスはその両端部にて左右一対のセンターピラー１２（但し図３では左右の一方のみ図示）の下端部に取り付けられている。また１６がルーフクロスであり、ルーフクロスはその一端部にてセンターピラー１２の上端部に取り付けられている。
【００２３】
フロアクロス１４はその中央部を構成するセンター部１８とその両端部を構成するガゼット２０よりなっており、図に示されているガゼット２０はその一端部のガゼットである。同様にルーフクロス１６はその中央部を構成するセンター部２２とその両端部を構成するガゼット２４よりなっており、図に示されているガゼット２４はその一端部のガゼットである。フロアクロス１４およびルーフクロス１６は、いずれも横断面がハット型をした側縁リブ付溝型の構造体に作られており、フロアクロス１４およびルーフクロス１６のそれぞれに於いて、センター部１８およびガゼット２０、並びにセンター部２２およびガゼット２４もまた、横断面がハット型をした側縁リブ付溝型の部材である。そしてかかる側縁リブ付溝型のセンター部およびガゼットがそれらの一端部にある肉厚部にて互いに重ね合わされ、両者の重ね合わせ部に於いて、溝部の中央に開けられたボルト孔２６、２８と側縁リブ部に開けられたボルト孔３０，３２に通されたボルトにより互いに締結されてフロアクロス１４およびルーフクロス１６を構成している。但し、図に於いては、ボルトは図示の便宜のため省略されている。ボルトは通常のヘッド付きボルトであってよく、これらの孔２６〜３２に通された他端部に通常のナットが取り付けられることにより、センター部およびガゼットの肉厚重ね合わせ部がボルト締めされるようになっている。
【００２４】
また図示の例では、フロアクロスのガゼット２０およびルーフクロスのガゼット２４のセンターピラー１２に当接する端部は、そこに形成されたフランジ部３４
、３６にて、これらのフランジ部とそれが重ね合わされたセンターピラーの下端部および上端部に開けられたボルト孔３８、４０に通されたボルトによりサイドフレームのセンターピラーに取り付けられている。ここでもボルトは図示の便宜のため省略されている。
【００２５】
図１の図Ａおよび図Ｂは、図３に示すフロアクロス１４を例にとって、そこに形成されたボルト孔２６と３０の構成に関する２つの実施の形態を示す、フロアクロスのセンター部１８とガゼット２０の肉厚重ね合わせ部の部分平面図である。４２はボルトであり、その軸部が断面にて示されている。図示の例では、ボルト孔２６および３０に通されるボルトはすべて同径とされている。
【００２６】
図１の図Ａおよび図Ｂに示す通り、側縁リブ部に開けられたボルト孔３０は、ボルト４２を丁度貫通させるに適したボルトと同一ゲージの孔とされている。一方、図Ａに示す実施の形態に於いては、溝部の中央に開けられたボルト孔２６は、ガゼット２０に開けられた孔がボルト４２のゲージより大きいゲージの孔とされており、センター部１８に開けられた孔はボルトと同一ゲージの孔とされている。ボルトの締め付けに当っては、ボルトはガゼット２０に開けられたボルト孔２６に対し図示の如く偏心して配置される。ボルト孔２６がボルト４２のゲージに対し大きくされる度合については以下に図２を参照して説明する。尚、ボルト孔２６は、センター部１８に開けられた孔がボルト４２のゲージより大きいゲージの孔とされ、ガゼット２０に開けられる孔がボルトと同一ゲージの孔とされてもよい。その場合には、センター部１８に開けられる孔は、図にて点線にて示されている位置にくる。またボルト孔２６に於いて孔をボルトのゲージより大きくすることは、ガゼット２０に開けられる孔とセンター部１８に開けられる孔とに分担して行われてもよい。
【００２７】
図１の図Ｂに示す実施の形態の於いては、溝部の中央に開けられたボルト孔２６は、ガゼット２０に開けられた孔が図示の方向に長くされた長孔とされており、センター部１８に開けられた孔はボルトと同一ゲージの孔とされている。長孔の幅方向の寸法はボルトのゲージに対応する大きさであってよい。この場合にも、ボルトの締め付けに当っては、ボルトはガゼット２０に開けられたボルト孔２６に対し図示の如く偏心して配置される。長孔であるボルト孔２６がボルト４２のゲージに対し長手方向に長くされる度合については以下に図２を参照して説明する。この場合にも、ボルト孔２６は、センター部１８に開けられた孔が長孔とされ、ガゼット２０に開けられる孔がボルトと同一ゲージの孔とされてもよい。その場合には、センター部１８に開けられる長孔は、図にて点線にて示されている位置にくる。またボルト孔２６に於いて孔を長孔とすることは、ガゼット２０に開けられる孔とセンター部１８に開けられる孔とに分担して行われてもよい。
【００２８】
図２の図Ａおよび図Ｂは、それぞれ図１の図Ａおよび図Ｂに示すフロアクロスに車輌の側面衝突等により異常な衝撃力が長手方向に作用した場合のセンター部とガゼットの接合部に於ける変形を示す図１の図Ａおよび図Ｂと同様の図である。フロアクロスにその長手方向に沿って圧縮力が作用すると、センター部に於いてもガゼットに於いても長手方向の圧縮が生ずるが、縁部の方が中央部より圧縮され易く、特に横断面がハット型の側縁リブ付溝型の如く中央部の圧縮に対する剛性が両側縁部の圧縮に対する剛性に比して高い度合が大きい場合には、縁部と中央部の間に生ずる差は顕著となる。また図示の例では、センター部の方がガゼットより長いので、ガゼットとセンター部の接合部での縁部と中央部の圧縮量の差はセンター部の方が大きくなる。図２の図Ａおよび図Ｂに於いては、そのような中央部と両側縁部の圧縮に対する剛性の違いによる端部の変形がセンター部の端部に於いて誇張して示されている。
【００２９】
上記の如くセンター部のガゼットとの接合端部に縁部と中央部の間の圧縮量の差が生ずると、中央のボルト孔２６と両側縁部のボルト孔３０の間でフロアクロスの長手方向に相対偏倚が生じる。この場合に、もしボルト孔２６および３０のいずれもがボルトに対し同一ゲージで開けられていると、中央のボルト孔２６に於いてボルトがセンター部のボルト孔とガゼットのボルト孔とに挟まれて受けるせん断力は、両側縁部のボルト孔３０内のボルトがセンター部のボルト孔とガゼットのボルト孔とに挟まれて受けるせん断力に比して著しく高くなり、まず中央部のボルトがせん断され、それによってボルト数が３本から２本に減った状態で両側縁部のボルトにかかるせん断力が高くなって、これら２本のボルトも次々にせん断されるという事態が発生する。このような事態が発生すると、フロアクロスの対衝撃圧縮力は低い値に留まる。
【００３０】
これに対し中央のボルト孔２６が、ガゼットの側またはセンター部の側または両方にてボルトのゲージに対して適度に径を大きくされるか長孔とされることにより、或る想定された衝撃圧縮荷重の作用時に、図２の図Ａまたは図Ｂに示す如く中央および両側のボルトが同時にせん断作用を受けるようになっていれば、そのような衝撃圧縮荷重に対してフロアクロスまたはルーフクロスが呈する荷重担持能力を最大限に高めることができる。
【００３１】
以上に於いては本発明を一つの実施の形態とその一部の変形例について詳細に説明したが、これらの実施の形態について本発明の範囲内にて種々の変更が可能であることは当業者にとって明らかであろう。
【図面の簡単な説明】
【００３２】
【図１】図１の図Ａおよび図Ｂは、自動車ボディのフロアクロスを例にとって、本発明がそのボルト接合部に適用された一つの実施の形態とその一部の変更例を示す部分平面図。
【図２】図２の図Ａおよび図Ｂは、図１の図Ａおよび図Ｂに示すフロアクロスに衝撃的大圧縮荷重が作用したときのボルト接合部の変形を示す部分平面図。
【図３】本発明が適用される自動車のボディー於けるフロアクロスおよびルーフクロスの一例をボディーのサイドフレームに取付けられたその一端部にて示す斜視図。
【符号の説明】
【００３３】
１０…サイドフレーム、１２…センターピラー、１４…フロアクロス、１６…ルーフクロス、１８…フロアクロスのセンター部、２０…フロアクロスのガゼット、２２…ルーフクロスのセンター部、２４…ルーフクロスのガゼット、２６，２８，３０，３２…ボルト孔、３４，３６…フランジ部、３８，４０…ボルト孔、４２…ボルト
【図１】
2010132244.tif 000003
【図２】
2010132244.tif 000004
【図３】
2010132244.tif 000005